(57)【要約】  本発明は輸送装置の連結を行うための装置、特に、延在された中央部片（１０、１１）と、輸送装置の隅部ストッパーに係合させるための２つのロック（１４、１５）と、を具備するツイストロックに関する。両方のロックは、２つのロックが中央部片の長手方向軸線に沿って移動されることを実現するように、中央部片の端部と協働する。本発明によれば、従来の技術水準に対するのと実質的に同じ機械的要求に伴って、前記装置の用途は実質的に中央部片の長さに依存する。中央部分の長さは装置の調節範囲を決定する。
2007528827.tif 000002
【特許請求の範囲】
【請求項１】
輸送装置、特にツイストロックの連結装置であって、
前記輸送装置の隅部取付け具内に係合させるための細長い中央部分（１０、１１）及び２つのロック部材（１４、１５）を備え、
２つの前記ロック部材（１４、１５）のそれぞれは前記中央部分（１０、１１）の端部と協働し、これにより、２つの前記ロック部材（１４、１５）が前記中央部分（１０、１１）の長手方向軸線に沿って移動可能に構成される装置。
【請求項２】
前記中央部分（１０、１１）は自身の端部の少なくとも１つに雄ネジを具備し、
２つの前記ロック部材（１４、１５）の少なくとも１つに対応する雌ネジを具備する穴が形成され、これにより、前記中央部分（１０、１１）を回転させることによって、該中央部分（１０、１１）の前記雄ネジは前記ロック部材（１４、１５）の雌ネジと協働し、かつ、前記ロック部材（１５）は前記中央部分（１０、１１）の長手方向軸線に沿って移動される、請求項１に記載の装置。
【請求項３】
前記中央部分（１０、１１）を回転させるためのロータリーハンドル（１２、１３）を更に備える、請求項２に記載の装置。
【請求項４】
各ロック部材（１４）にレバー（１６）を備える、請求項１から請求項３までのいずれか１項に記載の装置。
【請求項５】
前記レバー（１６）は、前記中央部分（１０）の長手方向軸線に対して実質的に半径方向に取り付けられる、請求項４に記載の装置。
【請求項６】
２つのロック部材（１４、１５）の少なくとも１つに固定プレート（１７）を更に備え、
前記固定プレートは前記中央部分（１１）の長手方向軸線に関して実質的に半径方向に移動可能である、請求項１または請求項２に記載の装置。
【請求項７】
２つの前記ロック部材（１４、１５）の少なくとも１つに穴（１９）が形成される、請求項１から請求項６までのいずれか１項に記載の装置。
【発明の詳細な説明】
【技術分野】
【０００１】
本発明は、輸送装置の連結装置に関する。
【背景技術】
【０００２】
こうした装置はツイストロックと呼称される形態で周知であり、かつ、例えば、コンテナ、開放輸送コンテナ、輸送支持及びクレードル構造等のような輸送装置を共に連結するために使用される。この目的のために、これらのツイストロックはコンテナの対向して配置される隅部取付け具(corner fitments)内に嵌合される。ロック部材は、ロータリーハンドルを中央部分に対して作動させることによって回転される。ロック部材の回転運動によって、これらは対応する隅部取付け具内に係合し、そこからの解放が阻止される。
【０００３】
こうした連結は、個々のコンテナが固定的に連結されるが複数のコンテナを備えるブロックを解放可能に与える余裕があるように、水平及び／又は鉛直に隣接するコンテナ間に力による錠止(force-locking)を与える。互いに隣接して並置される関係で常置する連結コンテナは地面に接触するベース領域を増大させ、かつ、かくして、当然ながら、常置の点からコンテナの安定性をも増大させる。しかしながら、輸送装置間での予め定められた間隔に関してのみ、あるいは最高位置に組み立てられたコンテナに関してのみで周知のツイストロックを使用し得ることが理解される。
【０００４】
輸送装置間で間隔が異なる場合には、例えば、荷重で固定するために、補強ケーブルで補強固定効果を与えることができる。しかしながら、例えば、まさに、これら自体で、長手方向に複数のコンテナの配置ロケーションを占有する輸送パケット組立体のように、必ずしも常に有用ではないか、あるいは、他の理由のために使用し得ない、対応する当接オプションを前提とすることが特に留意される。
【０００５】
従来技術文献は、自身の隅部に中空の隅部取付け具を設けた２つのコンテナから成る堅固な連結用キットを開示する（例えば、特許文献１参照）。別の従来技術文献は輸送装置用連結部材を開示する（例えば、特許文献２参照）。また、別の従来技術文献は、互いに隣接して並置された関係にある輸送コンテナに積み込むための一部を開示する（例えば、特許文献３参照）。さらにまた、別の従来技術文献はコンテナ用連結要素を開示する。なおさらにまた、別の従来技術文献はコンテナ用連結要素を開示する（例えば、特許文献４参照）。
【特許文献１】独国特許１９６  ５２  ８１７号明細書
【特許文献２】独国特許１  ５８１  １３４号明細書
【特許文献３】独国特許第１９６  ２１  ４５６号公報
【特許文献４】米国特許第４，９９３，１２５号明細書
【特許文献５】米国特許３，６８３，４６３号明細書
【発明の開示】
【発明が解決しようとする課題】
【０００６】
従って、本発明の目的は輸送装置の改善された連結を可能にする装置を提供することである。
【課題を解決するための手段】
【０００７】
この課題は請求項１に記載された輸送装置の連結装置によって達成される。
【０００８】
従って、輸送装置、特に、輸送装置の隅部取付け具内に係合させるための細長い中央部分及び２つのロック部材を具備する、ツイストロックにおける、連結装置、が提供される。２つのロック部材のそれぞれは、２つのロック部材が中央部分の長手方向軸線に沿って移動可能に構成されるように、中央部分の端部と協働する。
【０００９】
この点では、本発明は、従来技術と基本的に等価な機械的要求により、本発明による装置の使用範囲は中央部分の長さに実質的に依存するという認識に基づいている。中央部分の長さは装置の調節範囲を決定する。
【００１０】
本発明の実施形態によれば、中央部分は自身の端部の少なくとも１つに雄ネジを具備し、２つのロック部材の少なくとも１つには対応する雌ネジを具備する穴が形成されるので、これにより、中央部分を回転させることによって、中央部分の雄ネジはロック部材の雌ネジと協働し、ロック部材は中央部分の長手方向軸線に沿って移動する。
【００１１】
中央部分を回転させることによって、中央部分と協働するロック部材は、回転の方向に依存して、互いに対して離間するか、あるいは互いに接近するように移動する。ロック部材の位置は、かくして、輸送装置の間隔に容易に適合させ得る。
【００１２】
本発明の好ましい形状構成では、各ロック部材にレバーが形成される。このように、互いに対するロック部材の間隔は、輸送装置の隅部取付け具の間隔に対応する間隔を有する、中央部分のロータリーハンドルによってこうして調整し得る。ロック部材が自身の予め定められた位置にある場合、従来技術から周知ではあるが、互いに対する輸送装置に対して異なる間隔で、輸送装置と本発明による装置との間で連結がなされるように、各ロック部材が該各ロック部材に取り付けたレバーで回転し得る。
【００１３】
更なる形状構成では、この場合における各レバーは、所望ロック位置又は解錠位置内への各ロック部材の特に単純な回転を可能にするために、中央部分の長手方向軸線に対して実質的に直角又は半径方向に取り付けられる。
【００１４】
本発明の好ましい形状構成では、少なくとも１つのロック部材に穴が形成される。本発明による装置の中央部分はこの穴を通じて認識し得る。この穴に関する適切な位置決めは、中央部分が依然として穴内に見られる限りにおいては、該中央部分とロック部材との間の連結がとにかく十分であることを保証可能にする。これは、中央部分をロック部材から極端に離して回転させることによって意図しない誤った取付けを防ぐことを可能にする。
【００１５】
更なる形状構成は特許請求の範囲の主題である。
【００１６】
本発明を図面を参照してより詳細に説明する。
【発明を実施するための最良の形態】
【００１７】
図１は、本発明の第１実施形態によるツイストロックの斜視図を示す。ツイストロックは中央部分１０と、中央部分１０の２つの端部にそれぞれ配置した２つのロック部材１４と、を備える。中央部分１０の長手方向軸線に対して半径方向に延在する、それぞれのレバー１６が２つのロック部材１４に固定される。ロータリーハンドル１２は中央部分１０に固定される。
【００１８】
雄ネジは中央部分１０の２つの端部の各々に設けられる。この雄ネジは、２つのロック部材が中央部分１０の２つの端部上にねじ込み得る、すなわち、左ネジ及び右ネジが協働するように、ロック部材の各々の穴に形成した雌ネジと協働する。
【００１９】
ロータリーハンドルの回転によって、中央部分１０は回転し、中央部分１０と協働するロック部材１４は、回転の方向に依存して、互いに対して離間又は接近するように移動する。ロック部材の位置は、このように、輸送装置の間隔に簡単な態様で適合させ得る。
【００２０】
２つのロック部材１４上の２つのレバー１６は、ロック部材１４が輸送装置上の隅部取付け具に対して予め定められた長手方向の位置に位置づける場合に、輸送装置とツイストロックとの間で連結がなされる態様でロック部材を回転させるように働く。中央部分１０の長手方向軸線に対するレバー１６の直角（垂直）又は半径方向の配置構成はロック部材１４の錠止又は解錠目的のための単純な回転運動を可能にする。
【００２１】
現在の技術水準でも知られているように、ツイストロックは切り下げた形状構成によって隅部取付け具内に保持される。この目的のために、隅部取付け具は内部が中空であり、かつ少なくとも１つの穴が形成される。この穴の長さはこの穴の幅より大きい。隅部取付け具内に取り付けられるべきロック部材１４はこれに匹敵する割合を有している。ロック部材１４は、従って、隅部取付け具内に嵌合し得る。
【００２２】
ここで、ロック部材１４をレバー１６によって約９０°に亘って回転させる場合、自身の長手方向の範囲は隅部取付け具に形成した開口の幅の方向に延在する。ロック部材１４の長手方向の範囲が開口の幅よりも大きい場合、ロック部材１４は切下げ形状構成内の隅部取付け具に係合し、かつ、９０°に亘る反対の回転運動を第１に実施せずに、もはや、そこから移動し得ない。
【００２３】
ロータリーハンドル１２は、好ましくは、円筒形状構成をしており、かつ少なくとも１つの端部には雄ネジが形成され、この雄ネジにナットをねじ込み得る。これに応じてロータリーハンドル１２を嵌合させるために、ロータリーハンドルが中央部分１０に形成された穴を通過し得るように、そして、対応するナットを再びねじ戻し得るように、２つのナットの１つはねじ込まれていない。これは、ロータリーハンドル１２を容易に嵌合又は取り外し得ることを与える。
【００２４】
図２は、本発明の第２実施形態による、ツイストロックの斜視図を示す。このツイストロックは図１を参照して説明したものと実質的に同じ構成を有する形状構成をしており、かつ自身の２つの端部に２つのロック部材１５を具備する中央部分１１と、ロータリーハンドル１３と、を具備する。第１及び第２実施形態に示すツイストロック間の実質的な差異はそれぞれの中央部分１０、１１の端部の２つのロック部材の形状構成と、該ロック部材の長さと、にある。
【００２５】
ロック部材は、隅部取付け具８に形成した開口の大部分の割合を占める端部プレート１５ｃを具備する。この端部プレートはロック部材１５のネジ山部分に幅狭な(narrower limb)リム１５ｂによって連結される。端部プレート１５ｃはロータリーハンドル１３に向かう方向、すなわち、リムを越えて、中央部分に向かって、突出する。
【００２６】
ロータリーハンドル１３の回転によって、ロック部材１５は所望位置内に移動し得るものであり、かつ２つの隣接する輸送装置又は容器の隅部取付け具内に嵌合させ得る。それから、２つのロック部材が互いに接近するように、ロータリーハンドル１３は移動される。これは。自身の切下げ形状構成における、隅部取付け具内での端部プレートの係合に帰着し、かつ装置と、隅部取付け具と、関連する輸送装置と、の間の力による錠止連結がなされる。
【００２７】
しかしながら、ロック部材の外側には、隅部取付け具の端部プレートの切下げ係合部の寸法に実質的に対応する間隙が存在する。ここで、装置の意図しない解放を防ぐために、リム１５の方向に、中央部分１１に対して直角又は半径方向に移動可能な少なくとも１つの固定プレート１７が設けられる。隅部取付け具に形成した開口を、ロック部材の端部プレートの切り下げた関係での係合を少なくともこうした範囲まで塞ぐ固定プレート１７は、固定プレート１７を引き抜くことなく、すなわち、従って、偶発的に、少なくとも完全に無効にし得ない。
【００２８】
図３は、図２のツイストロックの側面図を示す。このロック部材１５ａには穴１９が形成される。本発明による装置の中央部分１１はこの穴１９を貫通することを認識し得る。
この穴１９の適切な位置決めは、中央部分１１が依然として見えるか又は穴１９内にあると感じられる限りは、中央部分１１と、ロック部材１５ａと、の間の連結が何時如何なる時にも適切であることを保証可能にする。これは、中央部分１１がロック部材１５ａから過度に離れるように回転されることによって、意図的でない誤った取付けを防ぐことを可能にする。
【００２９】
ツイストロックの別の実施形態によれば、それぞれの中央部分の２つの端部は雄ネジを具備しないが、それぞれの端部の中央部分には貫通穴が形成される。２つのロック部材の各々は中央部分に貫通穴に実質的に相当するそれぞれの貫通穴が形成される。中央部分の２つの端部における２つの錠止部材間の間隔を変えるために、スパナ(tommy bar)又はロッドはロック部材に形成した開口及び中央部分に形成した貫通穴を貫通し得る。
【００３０】
このような実施形態では、２つのロック部材間の間隔の調節が中央部分を回転させることによって達成されない場合に、ロータリーハンドルは必要でない。
【図面の簡単な説明】
【００３１】
【図１】本発明の第１実施形態によるツイストロックの斜視図を示す。
【図２】本発明の第２実施形態によるツイストロックの斜視図を示す。
【図３】本発明の図２に示すツイストロックの一部の斜視図を示す。
【符号の説明】
【００３２】
１０  中央部分
１１  中央部分
１２、１３  ロータリーハンドル
１４、１５  ロック部材
１５ａ  ロック部材
１５ｂ  リム
１５ｃ  端部プレート
１６  レバー
１７  固定プレート
１９  穴
２０  コンベヤー
【図１】
2007528827.tif 000003
【図２】
2007528827.tif 000004
【図３】
2007528827.tif 000005
【国際調査報告】
2007528827.tif 000006
2007528827.tif 000007
2007528827.tif 000008
2007528827.tif 000009
2007528827.tif 000010